(57)【特許請求の範囲】
【請求項１】
液晶表示パネルに光を照射する複数のランプと、前記ランプから照射された光を前記液晶表示パネルの方向に反射させるための反射シートとを備えたバックライトユニットにおいて、
前記反射シートが配置される収納空間を備えたカバーボトムと、
前記カバーボトムの収納空間内の側壁に配置され、前記反射シートの両側に対称となるように位置した第１及び第２サイドボトムと、
前記複数のランプの両側にそれぞれ共通接続された第１及び第２共通電極と、
前記ランプ間に位置し、前記第１サイドボトムと前記カバーボトムとを貫通して形成された第１ピースと、
前記ランプ間に位置し、前記第２サイドボトムと前記カバーボトムとを貫通して形成された第２ピースと
を備え、
前記第１共通電極と接続された駆動電流供給用の第１ワイヤーが前記第１ピースを貫通して配置され、
前記第１ピースがホールを有し前記カバーボトムの底部に向けて貫通して配置され、
前記第２ピースがホールを有し前記カバーボトムの底部に向けて貫通して配置され、
前記第２共通電極と接続された駆動電流供給用の第２ワイヤーが前記第２ピースを貫通して配置される
ことを特徴とする液晶表示装置のバックライトユニット。
【請求項２】
前記第１及び第２サイドボトムはシリコンで構成されることを特徴とする請求項１に記載の液晶表示装置のバックライトユニット。
【請求項３】
前記第１及び第２ピースはプラスチックで構成されることを特徴とする請求項１に記載の液晶表示装置のバックライトユニット。
【請求項４】
前記第１及び第２ピースは対称となる位置に形成されることを特徴とする請求項１に記載の液晶表示装置のバックライトユニット。
【請求項５】
前記第１及び第２ピースは対称とならない位置に形成されることを特徴とする請求項１に記載の液晶表示装置のバックライトユニット。
【請求項６】
前記第１及び第２ピースの直径が同一に形成されることを特徴とする請求項１に記載の液晶表示装置のバックライトユニット。
【請求項７】
前記第１及び第２ピースの直径が異なって形成されることを特徴とする請求項１に記載の液晶表示装置のバックライトユニット。
【発明の詳細な説明】
【技術分野】
【０００１】
本発明は、液晶表示装置のバックライトユニットに関し、特に、共通電極に接続された駆動電流供給用のワイヤーを、内側に形成されているピースを貫通するように配置することができるバックライトユニットに関する。
【背景技術】
【０００２】
一般的に、液晶表示装置は、軽量、薄形、低消費電力駆動等の特徴により、その応用範囲が漸次広がっている。これに従って、液晶表示装置は、事務自動化機器、オーディオ/ビデオ機器等に用いられている。このような液晶表示装置は、マトリクス状に配列された複数の制御用スイッチに印加される信号に応じて光ビームの透過量が調節され、画面に所望の画像を表示するようになる。
【０００３】
このような液晶表示装置は、自発光表示装置ではないため、バックライト（Ｂａｃｋ  ｌｉｇｈｔ）のような別途の光源が必要となる。
【０００４】
バックライトは、光源の位置によって直下型方式とエッジ型方式等がある。エッジ型バックライトは、液晶表示装置の一側の縁部に光源を設けて、その光源から入射される光を導光板と複数の光学シートを通じて液晶表示パネルに照射する。直下型バックライトは、液晶表示装置のすぐ下に複数の光源を配置し、その光源から入射される光を拡散板と複数の光学シートを通じて液晶表示パネルに照射する。近来は、エッジ型方式に比べて、輝度、光均一度、色純度の高い直下型方式のバックライトがＬＣＤ−ＴＶを中心として更に多用されている。
【０００５】
バックライトに用いられる光源には、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）と、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ：ＥＥＦＬ）等がある。
【０００６】
一般的な外部電極蛍光ランプは、図１に示すように、ガラス管１０と、ガラス管１０の内壁に塗布された蛍光体１２と、ガラス管１０の内部に注入された不活性気体（または放電ガス）１４と、ガラス管１０の両末端部の外部に設けられた外部電極１６から構成される。
【０００７】
ガラス管１０は、円筒状であり、内部の直径が約１．６ｍｍ、外部の直径が２．０ｍｍ程であり、その長さは約５０〜４００ｍｍ程である。
【０００８】
不活性気体１６は、ネオン（Ｎｅ）とアルゴン（Ａｒ）が一定比率に混合され、水銀（Ｈｇ）が少量含有される。
【０００９】
インバータから交流電圧が高圧電極及び低圧電極に印加されると、外部電極蛍光ランプの低圧電極から電子が放出され、ガラス管の内部の不活性気体と衝突し、幾何級数的に電子量が増えるようになり、その電子により不活性気体が励起されることによって紫外線が放出される。この紫外線は、ガラス管の内側壁に塗布された蛍光体に衝突して可視光線を放出させる。
【００１０】
このような外部電極蛍光ランプが用いられた従来の液晶表示装置のバックライトユニットに対して説明すると下記の通りである。
【００１１】
図２は、従来の液晶表示装置のバックライトユニットの斜視図である。
【００１２】
図２に示すように、従来のバックライトユニット１００は、液晶表示パネルの後面に配置される複数のランプ１１０と、複数のランプ１１０の下段に配置される反射シート１２０と、反射シート１２０が付着されるカバーボトム１３０と、カバーボトム１３０の内側に配置され、反射シート１２０の両側に対称となるように位置した第１及び第２サイドボトム１４０、１５０とを備える。
【００１３】
ここで、バックライトユニット１００の内側に第１及び第２共通電極１６０、１７０が形成されるが、第１共通電極１６０は第１サイドボトム１４０に隣接するように配置され、第２共通電極１７０は第２サイドボトム１５０に隣接するように配置される。
【００１４】
そして、第１共通電極１６０は、己と接続された駆動電流供給用の第１ワイヤー１８０を通じて駆動電流の供給を受け、第２共通電極１７０は、己と接続された駆動電流供給用の第２ワイヤー１９０を通じて駆動電流の供給を受ける。ここで、第１ワイヤー１８０は、第１サイドボトム１４０の外側に露出されるように配置され、更に、第２ワイヤー１９０は、第２サイドボトム１５０の外側に露出されるように配置される。
【発明の開示】
【発明が解決しようとする課題】
【００１５】
このように、第１及び第２ワイヤーが外側に露出されて配置されるため、駆動電流供給用の第１及び第２ワイヤーの長さが余計に長くなり、これによって、従来のバックライトユニットは、駆動電流の供給を妨げる抵抗成分が大きくなると共に、製品の高さが大きくなり、更に、外側に露出された第１及び第２ワイヤーが製造工程における作業の妨げとなり、作業上不便であるという問題点を有する。
【００１６】
本発明は、前記のような問題点を解決するために案出されたものであり、本発明の目的は、共通電極に接続された駆動電流供給用のワイヤーを、内側に形成されているピースを貫通するように配置することができる液晶表示装置のバックライトユニットを提供することにある。
【００１７】
本発明の目的は、共通電極に接続された駆動電流供給用のワイヤーを、内側に形成されているピースを貫通するように配置することにより、ワイヤーの長さを短縮させて、駆動電流の供給を妨げる抵抗成分を減少させることができる液晶表示装置のバックライトユニットを提供することにある。
【００１８】
本発明の目的は、共通電極に接続された駆動電流供給用のワイヤーを、内側に形成されているピースを貫通するように配置することにより、ワイヤーが外側に露出される製品に比べて、嵩を減少させることができる液晶表示装置のバックライトユニットを提供することにある。
【課題を解決するための手段】
【００１９】
このような目的を達成するための本発明は、液晶表示パネルに光を照射する複数のランプと、前記ランプから照射された光を前記液晶表示パネルの方向に反射させるための反射シートとを備えたバックライトユニットにおいて、前記反射シートが配置される収納空間を備えたカバーボトムと、前記カバーボトムの収納空間内の側壁に配置され、前記反射シートの両側に対称となるように位置した第１及び第２サイドボトムと、前記複数のランプの両側にそれぞれ共通接続された第１及び第２共通電極と、前記ランプ間に位置し、前記第１サイドボトムと前記カバーボトムとを貫通して形成された第１ピースと、前記ランプ間に位置し、前記第２サイドボトムと前記カバーボトムとを貫通して形成された第２ピースとを備え、前記第１共通電極と接続された駆動電流供給用の第１ワイヤーが前記第１ピースを貫通して配置され、前記第１ピースがホールを有し前記カバーボトムの底部に向けて貫通して配置され、前記第２ピースがホールを有し前記カバーボトムの底部に向けて貫通して配置され、前記第２共通電極と接続された駆動電流供給用の第２ワイヤーが前記第２ピースを貫通して配置されることを特徴とする。
【発明の効果】
【００２７】
以上、説明した通り、本発明は、液晶表示装置の共通電極に接続された駆動電流供給用のワイヤーを、内側に形成されているピースを貫通するように配置することにより、ワイヤーの長さを短縮させて、駆動電流の供給を妨げる抵抗成分を減少させ、またワイヤーが外側に露出される製品に比べて、製品サイズを減少させると共に、製造工程においてワイヤーが招く作業上の不便を解消することができる。
【発明を実施するための最良の形態】
【００２８】
実施の形態１．
前記目的の外、本発明の他の目的及び利点は、添付図面を参照した本発明の好ましい実施の形態に対する説明を通じて明らかに示される。
【００２９】
以下、添付した図面を参照して、本発明の好ましい実施の形態を詳細に説明する。
【００３０】
図３は、本発明に係る液晶表示装置のバックライトユニットの斜視図である。
【００３１】
図４は、本発明に係る液晶表示装置のバックライトユニットの断面図である。
【００３２】
図３及び図４を参照すると、本発明のバックライトユニット２００は、図２のバックライトユニット１００と同様に、複数のランプ１１０と複数のランプ１１０の下段に配置される反射シート１２０とを備える。
【００３３】
そして、本発明のバックライトユニット２００は、反射シート１２０が収納面に付着されるカバーボトム２１０と、カバーボトム２１０の内側に配置され、反射シート１２０の両側に対称となるように位置した第１及び第２サイドボトム２２０，２３０と、第１サイドボトム２２０とカバーボトム２１０とを貫通して形成された第１ピース（Ｐｉｅｃｅ）２４０−１と、第２サイドボトム２３０とカバーボトム２１０とを貫通して形成された第２ピース２４０−２とを備える。
【００３４】
更に、本発明のバックライトユニット２００には、複数のランプ１１０の一側段に共通接続された第１共通電極２５０−１と、複数のランプ１１０の他側段に共通接続された第２共通電極２５０−２とが配置される。更に、バックライトユニット２００には、ランプの駆動電流を供給するインバータ（図示せず）の一側段と、第１共通電極２５０−１に接続された第１ワイヤー２６０−１が第１ピース２４０−１を通じて配置され、前記インバータの他側段と、第２共通電極２５０−２に接続された第２ワイヤー２６０−２が第２ピース２４０−２を通じて配置される。
【００３５】
複数のランプ１１０は、両側段に接続された第１及び第２共通電極２５０−１、２５０−２に印加される駆動電流を前記インバータから供給を受けて駆動され、液晶表示パネルに光を照射するが、ここで、前記インバータからの駆動電流は、第１ワイヤー２６０−１を通じて第１共通電極２５０−１に供給されると共に、第２ワイヤー２６０−２を通じて第２共通電極２５０−２に供給される。
【００３６】
反射シート１２０は、カバーボトム２１０の収納面に付着され、特に、第１及び第２サイドボトム２２０，２３０の間に位置する。このような反射シート１２０は、ランプ１１０から照射された光の中、液晶表示パネルの反対の方向に照射された光を液晶表示パネルの方向に反射させる。
【００３７】
カバーボトム２１０は、金属で一側面が開放された容器状で具現され、ランプ１１０、反射シート１２０、そして第１及び第２サイドボトム２２０、２３０等を収納するための収納空間を有する。このようなカバーボトム２１０の収納面に付着される反射シート１２０は、両面テープ（図示せず）により付着され、この反射シート１２０の両側に第１及び第２サイドボトム２２０，２３０が付着される。
【００３８】
第１及び第２サイドボトム２２０，２３０は、反射シート１２０の両側に位置してカバーボトム２１０に付着される。このような第１サイドボトム２２０には、ランプ１１０の一側が組み立てられて固定され、第２サイドボトム２３０には、ランプ１１０の他側が組み立てられて固定される。更に、第１サイドボトム２２０には、ランプ１１０の一側に形成された外部電極と共通接続された第１共通電極２５０−１が付着され、第２サイドボトム２３０には、ランプ１１０の他側に形成された外部電極と共通接続された第２共通電極２５０−２が付着される。特に、本発明は、第１及び第２サイドボトム２２０，２３０をシリコンで構成することを特徴とする。
【００３９】
第１ピース２４０−１は、第１サイドボトム２２０とカバーボトム２１０とを貫通して形成されたホール（ｈｏｌｅ）として、ランプ１１０の間に位置すると共に、第１共通電極２５０−１に隣接するように位置する。
【００４０】
第２ピース２４０−２は、第２サイドボトム２３０とカバーボトム２１０とを貫通して形成されたホールとして、ランプ１１０の間に位置すると共に、第２共通電極２５０−２に隣接するように位置する。特に、第１及び第２ピース２４０−１，２４０−２はプラスチックで構成されることを特徴とする。
【００４１】
第１及び第２ピース２４０−１，２４０−２は対称となる位置に形成されるか、または対称とならない位置に形成される。
【００４２】
第１及び第２ピース２４０−１，２４０−２の直径が同一に形成されるか、または第１及び第２ピース２４０−１，２４０−２の直径が異なって形成される。
【００４３】
第１ワイヤー２６０−１は、第１ピース２４０−１を貫通して配置され、前記インバータの一側段と第１共通電極２５０−１とを電気的に接続させる。
【００４４】
第２ワイヤー２６０−２は、第２ピース２４０−２を貫通して配置され、前記インバータの他側段と第２共通電極２５０−２とを電気的に接続させる。
【００４５】
以上、説明した通り、本発明は、液晶表示装置の共通電極に接続された駆動電流供給用のワイヤーを、内側に形成されているピースを貫通するように配置することにより、ワイヤーの長さを短縮させて、駆動電流の供給を妨げる抵抗成分を減少させ、またワイヤーが外側に露出される製品に比べて、製品サイズ（特に、高さ）を減縮させると共に、製造上にワイヤーが招く作業上の不便を解消することができる。
【００４６】
以上、説明した内容を通じて、当業者であれば本発明の技術思想を逸脱しない範囲内で種々なる変更および修正が可能であることが分かる。従って、本発明の技術的範囲は、明細書の詳細な説明に記載した内容に限定されるものではなく、特許請求の範囲により定めなければならない。
【図面の簡単な説明】
【００４７】
【図１】従来のランプを示す図面である。
【図２】従来の液晶表示装置のバックライトユニットの斜視図である。
【図３】本発明に係る液晶表示装置のバックライトユニットの斜視図である。
【図４】本発明に係る液晶表示装置のバックライトユニットの断面図である。
【符号の説明】
【００４８】
１００，２００  バックライトユニット、１１０  ランプ、１２０  反射シート、２１０  カバーボトム、２２０  第１サイドボトム、２３０  第２サイドボトム、２４０−１  第１ピース、２４０−２  第２ピース、２５０−１  第１共通電極、２５０−２  第２共通電極、２６０−１  第１ワイヤー、２６０−２  第２ワイヤー。
【図１】
0004523621.tif 000002
【図２】
0004523621.tif 000003
【図３】
0004523621.tif 000004
【図４】
0004523621.tif 000005